(57)【要約】【課題】撮影指標としての表示データを単純なスクロールだけでなく移動させられるようにすること。【解決手段】ＬＣＤ７０の表示画面に、異なる表示形態で表示させるための表示データを含むＯＳＤ４２と複数のカラーパレット６１〜６４とを備え、上記表示画面に表示する位置の確定指示に応じて、ＣＰＵ１０は、上記表示データの表示位置を設定すると共に、上記表示画面における表示形態を切り替えるために上記カラーパレットを切り替える制御を行う。【選択図】      図１
2006084555.tif 000002
【特許請求の範囲】
【請求項１】
表示画面に、異なる表示形態で表示させるための表示データからなる複数のカラーパレットを記憶する記憶手段と、
上記表示画面に表示する位置を移動させる移動指示に応じて、上記表示データの表示位置を設定する設定手段と、
上記移動指示による移動の終了後に、上記表示画面における表示形態を切り替える切り替え指示に応じて、上記記憶手段に記憶されたカラーパレットを切り替える切り替え手段と、
を具備することを特徴とする表示制御装置。
【請求項２】
表示画面に、異なる表示形態で表示させるための表示データからなる複数のカラーパレットを記憶する記憶手段と、
上記表示画面に表示する位置の確定指示に応じて、上記表示データの表示位置を設定すると共に、上記表示画面における表示形態を切り替えるために上記記憶手段に記憶されたカラーパレットを切り替える制御を行う制御手段と、
を具備することを特徴とする表示制御装置。
【請求項３】
上記表示データは、複数のマークまたは枠を表すものであることを特徴とする請求項１または２に記載の表示制御装置。
【請求項４】
上記記憶手段は、上記表示データとして、相似形状で大きさの異なるマークまたは枠の表示データを記憶し、
上記切り替え手段または上記制御手段によるカラーパレットの切り替えにより、視認されるマークまたは枠の大きさが変化する、
ことを特徴とする請求項３に記載の表示制御装置。
【請求項５】
上記切り替え手段または上記制御手段は、上記切り替え指示または上記確定指示を受けた後、順次異なるカラーパレットに切り替えることで、視認されるマークまたは枠の大きさを順次変化させることを特徴とする請求項４に記載の表示制御装置。
【請求項６】
該表示制御装置は、撮像手段を有するカメラに組み込まれ、
上記表示画面は、上記撮像手段の撮像出力に対応する映像を表示し、
上記表示データは、上記映像上に重畳表示される、
ことを特徴とする請求項１または２に記載の表示制御装置。
【請求項７】
該表示制御装置は、撮像手段を有するカメラに組み込まれ、
上記表示画面は、上記撮像手段の撮像出力に対応する映像を表示し、
上記表示データは、撮影に係る指標を表すものであって、上記映像上に重畳表示され、
上記移動指示は、上記撮影に係る指標の表示位置の移動に伴うものであり、
上記切り替え指示は、上記撮影に係る指標の表示位置の確定に応じたものである、
ことを特徴とする請求項１に記載の表示制御装置。
【請求項８】
該表示制御装置は、撮像手段を有するカメラに組み込まれ、
上記表示画面は、上記撮像手段の撮像出力に対応する映像を表示し、
上記表示データは、撮影に係る指標を表すものであって、上記映像上に重畳表示され、
上記確定指示は、上記撮影に係る指標の表示位置の確定に伴うものである、
ことを特徴とする請求項２に記載の表示制御装置。
【請求項９】
上記撮影に係る指標は、測距対象の位置を示す測距枠であることを特徴とする請求項７または８に記載の表示制御装置。
【請求項１０】
上記撮影に係る指標は、主要被写体に関する領域を示す領域枠であることを特徴とする請求項７または８に記載の表示制御装置。
【請求項１１】
被写体像を撮像する撮像手段と、
上記撮像手段の撮像出力に対応する映像を表示する表示画面と、
上記表示画面に、撮影に係る指標を異なる表示形態で表示させるための表示データからなる複数のカラーパレットを記憶する記憶手段と、
上記撮影に係る指標を上記映像に重畳させて上記表示画面に表示させる際に、上記記憶手段に記憶されたカラーパレットを切り替えることで、上記表示画面における上記撮影に係る指標の表示形態を切り替える切り替え手段と、
を具備することを特徴とするカメラ。
【請求項１２】
上記撮影に係る指標は、相似形状で大きさの異なる枠であり、
上記切り替え手段によるカラーパレットの切り替えにより、視認される枠の大きさが変化する、
ことを特徴とする請求項１１に記載のカメラ。
【請求項１３】
上記切り替え手段は、順次異なるカラーパレットに切り替えることで、視認される枠の大きさを順次変化させることを特徴とする請求項１２に記載のカメラ。
【請求項１４】
上記撮影に係る指標は、測距対象の位置を示す測距枠であることを特徴とする請求項１１に記載のカメラ。
【請求項１５】
上記撮影に係る指標は、主要被写体に関する領域を示す領域枠であることを特徴とする請求項１１に記載のカメラ。
【請求項１６】
移動指示に応じて移動表示されるべき、１画面中に配置された異なるカラー番号を持つ複数の表示データを記憶する記憶手段と、
上記記憶手段に記憶された表示データの、上記移動指示による移動表示時における発色を指定するための第１のカラーパレットと、
上記記憶手段に記憶された表示データの、移動終了指示受け時における発色を指定するための第２のカラーパレットと、
を具備することを特徴とする表示制御装置。
【請求項１７】
上記移動指示または上記移動終了指示に応じて、上記記憶手段に記憶された表示データの表示に利用するカラーパレットを切り替えることにより、視認される表示データを変更する変更手段を更に具備することを特徴とする請求項１６に記載の表示制御装置。
【請求項１８】
上記複数の表示データは、複数のマークまたは枠を表すものであることを特徴とする請求項１７に記載の表示制御装置。
【請求項１９】
撮像した映像と撮影指標とを表示画面に重畳表示させる撮影指標表示制御方法において、
上記表示画面に、上記撮影指標を異なる表示形態で表示させるための表示データからなる複数のカラーパレットを用意しておき、
ファーストレリーズ操作に応じて、第１のカラーパレットにより上記表示データの発色を指定することにより、第１の表示形態の撮影指標を視認可能とし、
上記表示画面に表示する位置を移動させる移動指示に応じて、上記表示画面上における上記撮影指標の表示データの表示位置を移動させることで、上記視認される第１の表示形態の撮影指標の位置を移動させ、
上記移動指示による移動の終了後に、上記表示画面における表示形態を切り替える切り替え指示に応じて、上記カラーパレットを切り替えることで、視認される撮影指標の表示形態を上記第１の表示形態から他の表示形態に切り替える、
ことを特徴とする撮影指標表示制御方法。
【請求項２０】
撮像した映像と撮影指標とを表示画面に重畳表示させる撮影指標表示制御方法において、
上記表示画面に、上記撮影指標を異なる表示形態で表示させるための表示データからなる複数のカラーパレットを用意しておき、
第１のカラーパレットにより上記表示データの発色を指定することにより、第１の表示形態の撮影指標を視認可能とし、
ファーストレリーズ操作に応じて、上記カラーパレットを切り替えることで、視認される撮影指標の表示形態を上記第１の表示形態から他の表示形態に切り替えると共に、上記表示画面上における上記撮影指標の表示データの表示位置を移動させることで、その変更された他の表示形態の撮影指標の位置も変更する、
ことを特徴とする撮影指標表示制御方法。
【請求項２１】
上記撮影指標は、測距対象の位置を示す測距枠であることを特徴とする請求項１９または２０に記載の撮影指標表示制御方法。
【請求項２２】
上記測距枠の異なる表示形態は、相似形状で大きさの異なる表示形態であり、
上記第１の表示形態が最も大きな測距枠の表示形態である、
ことを特徴とする請求項２１に記載の撮影指標表示制御方法。
【請求項２３】
上記測距枠の他の表示形態が複数あり、
視認される測距枠の大きさが順次小さくなるように、異なるカラーパレットに順次切り替える、
ことを特徴とする請求項２２に記載の撮影指標表示制御方法。
【請求項２４】
上記撮影指標は、主要被写体に関する領域を示す領域枠であることを特徴とする請求項１９または２０に記載の撮影指標表示制御方法。
【発明の詳細な説明】
【技術分野】
【０００１】
本発明は、表示データを表示画面に表示する表示制御装置に関する。また、本発明は、撮像した映像と撮影指標とを重畳表示するカメラ及び撮影指標表示制御方法に関する。
【背景技術】
【０００２】
特許文献１には、あたかも複数の画像があるかのように表現するために、縦方向に擬似多重スクロールさせる技術が開示されている。これは、ＶＲＡＭのバックグラウンドテーブルとキャラクタジェネレータによって管理され、カラーパレットによって発色を指定するスムーススクロール可能な装置であり、カラーパレットを順次変えることによって同色の点が隣接位置に移動する擬似スクロールパターン領域を準備してカラーパレットを順次変えて擬似多重スクロールを行うというものである。
【０００３】
このような技術は、上記特許文献１に記載されているようなコンピュータゲーム装置だけでなく、様々な機器への応用が期待できる。
【０００４】
例えば、所謂デジタルカメラへの応用として、次のようなものが考えられる。即ち、デジタルカメラでは、撮影視野に捕らえた映像を表示する液晶ディスプレイ（ＬＣＤ）の表示画面に、撮影に係る指標の一つして、矩形の測距枠を表示することで、測距ポイントを撮影者に提示している。そこで、この表示画面全体を上記擬似スクロールパターン領域とし、形の測距枠の各線分を、表示画面外方から中央に向けてそれぞれスクロールさせると同時にその線分の長さを小さくしていくことで、大きな矩形の測距枠が中央の測距ポイントに向けて小さく収束していくような視覚効果を得ることができると想定される。
【０００５】
このような視覚効果を、表示用のビットマップデータを逐次書き換える一般的な技術で実現するには、高速な処理装置あるいは多くの時間を必要としてしまうので、上記特許文献１に開示の技術は非常に有効なものである。
【特許文献１】特開平５−３１３６２４号公報
【発明の開示】
【発明が解決しようとする課題】
【０００６】
しかしながら、現在のデジタルカメラでは、測距ポイントは画面中央の一点だけではなく、主要被写体が撮影視野内のどの位置に存在してもピントが合うように、複数の測距ポイントを持つものが多い。このような複数の測距ポイントを持つものでは、単純に上記特許文献１に開示されている技術を適用したのでは、測距枠が選択的に一つの測距ポイントへ収束するような視覚効果を実現することはできない。
【０００７】
即ち、上記特許文献１に開示の技術では、枠やマーク等の表示データをスクロールすることができるので、様々な応用が考えられるとはいえ、表示データを移動させることはできないため、その応用には制限があった。
【０００８】
本発明は、上記の点に鑑みてなされたもので、撮影指標としての表示データを単純なスクロールだけでなく移動させることが可能な表示制御装置、カメラ、及び撮影指標表示制御方法を提供することを目的とする。
【課題を解決するための手段】
【０００９】
本発明の表示制御装置の一態様は、表示画面に、異なる表示形態で表示させるための表示データからなる複数のカラーパレットを記憶する記憶手段と、上記表示画面に表示する位置を移動させる移動指示に応じて、上記表示データの表示位置を設定する設定手段と、上記移動指示による移動の終了後に、上記表示画面における表示形態を切り替える切り替え指示に応じて、上記記憶手段に記憶されたカラーパレットを切り替える切り替え手段と、を具備することを特徴とする。
【００１０】
また、本発明の表示制御装置の別の態様は、表示画面に、異なる表示形態で表示させるための表示データからなる複数のカラーパレットを記憶する記憶手段と、上記表示画面に表示する位置の確定指示に応じて、上記表示データの表示位置を設定すると共に、上記表示画面における表示形態を切り替えるために上記記憶手段に記憶されたカラーパレットを切り替える制御を行う制御手段と、を具備することを特徴とする。
【００１１】
また、本発明の表示制御装置の更に別の態様は、移動指示に応じて移動表示されるべき、１画面中に配置された異なるカラー番号を持つ複数の表示データを記憶する記憶手段と、上記記憶手段に記憶された表示データの、上記移動指示による移動表示時における発色を指定するための第１のカラーパレットと、上記記憶手段に記憶された表示データの、移動終了指示受け時における発色を指定するための第２のカラーパレットと、を具備することを特徴とする。
【００１２】
本発明のカメラの一態様は、被写体像を撮像する撮像手段と、上記撮像手段の撮像出力に対応する映像を表示する表示画面と、上記表示画面に、撮影に係る指標を異なる表示形態で表示させるための表示データからなる複数のカラーパレットを記憶する記憶手段と、上記撮影に係る指標を上記映像に重畳させて上記表示画面に表示させる際に、上記記憶手段に記憶されたカラーパレットを切り替えることで、上記表示画面における上記撮影に係る指標の表示形態を切り替える切り替え手段と、を具備することを特徴とする。
【００１３】
本発明の撮影指標表示制御方法の一態様は、撮像した映像と撮影指標とを表示画面に重畳表示させる撮影指標表示制御方法において、上記表示画面に、上記撮影指標を異なる表示形態で表示させるための表示データからなる複数のカラーパレットを用意しておき、ファーストレリーズ操作に応じて、第１のカラーパレットにより上記表示データの発色を指定することにより、第１の表示形態の撮影指標を視認可能とし、上記表示画面に表示する位置を移動させる移動指示に応じて、上記表示画面上における上記撮影指標の表示データの表示位置を移動させることで、上記視認される第１の表示形態の撮影指標の位置を移動させ、上記移動指示による移動の終了後に、上記表示画面における表示形態を切り替える切り替え指示に応じて、上記カラーパレットを切り替えることで、視認される撮影指標の表示形態を上記第１の表示形態から他の表示形態に切り替える、ことを特徴とする。
【００１４】
また、本発明の撮影指標表示制御方法の別の態様は、撮像した映像と撮影指標とを表示画面に重畳表示させる撮影指標表示制御方法において、上記表示画面に、上記撮影指標を異なる表示形態で表示させるための表示データからなる複数のカラーパレットを用意しておき、第１のカラーパレットにより上記表示データの発色を指定することにより、第１の表示形態の撮影指標を視認可能とし、ファーストレリーズ操作に応じて、上記カラーパレットを切り替えることで、視認される撮影指標の表示形態を上記第１の表示形態から他の表示形態に切り替えると共に、上記表示画面上における上記撮影指標の表示データの表示位置を移動させることで、その変更された他の表示形態の撮影指標の位置も変更する、ことを特徴とする。
【発明の効果】
【００１５】
本発明によれば、撮影指標としての表示データを単純なスクロールだけでなく移動させることが可能な表示制御装置、カメラ、及び撮影指標表示制御方法を提供することができる。
【発明を実施するための最良の形態】
【００１６】
以下、本発明を実施するための最良の形態を
図面を参照して説明する。
【００１７】
［第１実施形態］
図１（Ａ）は、本発明の第１実施形態に係る表示制御装置の適用されたデジタルカメラのブロック構成図であり、このデジタルカメラは、ＣＰＵ１０、操作部２０、ＣＣＤ３０、ＳＤＲＡＭ４０、画像処理部５０、表示Ｉ／Ｆ６０、ＬＣＤ７０、及びメディア８０から構成されている。
【００１８】
ここで、ＣＰＵ１０は、当該デジタルカメラ全体を制御するものである。操作部２０は、ファーストレリーズ及びセカンドレリーズの２段押し式のレリーズボタンや電源ボタン、モード切り替えボタン等、撮影者によって操作される各種操作ボタンを含む。
【００１９】
ＣＣＤ３０は、図示しない撮影光学系によってフォーカスされた被写体の像を撮影する撮像素子である。ＳＤＲＡＭ４０は、上記ＣＣＤ３０での撮影により得られた画像データを一時的に記憶するため、高速に書き込み／読み出しが可能な半導体メモリである。画像処理部５０は、このＳＤＲＡＭ４０に一次記憶された画像データを処理して、表示用画像データやメディア保存用画像ファイルを作成する。表示Ｉ／Ｆ６０は、上記画像処理部５０で作成した表示用画像データをＬＣＤ７０に表示させる。この場合、ＣＣＤ３０で得られた画像データを連続的にＬＣＤ７０に表示することで、動画像つまり映像が表示される。
【００２０】
メディア８０は、当該デジタルカメラ固定内蔵された若しくは該デジタルカメラに対して着脱可能な半導体メモリである。このメディア８０には、上記画像処理部５０で作成した保存用画像ファイルが記録されるものであるが、一連の表示用画像による映像ファイルを記録することもできる。
【００２１】
図１（Ｂ）に示すように、上記ＳＤＲＡＭ４０はフレームメモリ４１とＯＳＤ４２とを有し、画像処理部５０はリサイズ回路５１を有している。そして、表示Ｉ／Ｆ６０は、第１乃至第４カラーパレット６１〜６４、パレット変換部６５及びＭＩＸ回路６６を有している。
【００２２】
ここで、ＳＤＲＡＭ４０のフレームメモリ４１は、上記ＣＣＤ３０で撮影した画像データを一時的に記憶するものである。ＯＳＤ４２は、ＬＣＤ７０に表示される映像上に、マークや枠等の表示形態で撮影に係る指標、例えば測距枠、を重畳表示するための表示データが書き込まれたビットマップメモリである。即ち、図２（Ａ）に示すように、このＯＳＤ４２は、ＬＣＤ７０の表示画面７１のサイズに相当する表示データ読出領域４２Ａよりも大きな表示データメモリ領域４２Ｂからなり、カラー０を指定された背景に対し、カラー１乃至カラー４を指定された４つの枠がビットマップデータとして書き込まれている。表示データ読出領域４２Ａの位置は、ＣＰＵ１０の指示により決定される。
【００２３】
画像処理部５０のリサイズ回路５１は、ＳＤＲＡＭ４０のフレームメモリ４１に一次記憶された画像データを、ＬＣＤ７０の表示画面７１のサイズにリサイズして、上記表示用画像データを作成する。
【００２４】
表示Ｉ／Ｆ６０の第１乃至第４カラーパレット６１〜６４は、上記ＳＤＲＡＭ４０のＯＳＤ４２に書き込まれたビットマップデータの各カラーの発色を指定するもので、例えば、図３に示すようなデータが書き込まれている。即ち、第１カラーパレット６１には、カラー０が透明、カラー１が青、カラー２が透明、カラー３が透明、カラー４が透明の指定がなされている。また、第２カラーパレット６２には、カラー０が透明、カラー１が透明、カラー２が青、カラー３が透明、カラー４が透明の指定がなされている。第３カラーパレット６３には、カラー０が透明、カラー１が透明、カラー２が透明、カラー３が青、カラー４が透明の指定がなされている。そして、第４カラーパレット６４には、カラー０が透明、カラー１が透明、カラー２が透明、カラー３が透明、カラー４が青の指定がなされている。
【００２５】
表示Ｉ／Ｆ６０のパレット変換部６５は、上記ＳＤＲＡＭ４０のＯＳＤ４２のＣＰＵ１０による読み出し位置指定に従った表示データ読出領域４２Ａから読み出されたビットマップデータの各カラーに、ＣＰＵ１０からの選択指示により決定される上記第１乃至第４カラーパレット６１〜６４の何れかに従って色を付けるものである。そして、ＭＩＸ回路６６は、このパレット変換部６５で色付けされたビットマップデータを、上記画像処理部５０のリサイズ回路５１で作成された表示用画像データに重畳する。
【００２６】
係る構成のデジタルカメラによれば、撮影者による操作部２０の電源ボタンのＯＮ操作により、ＣＰＵ１０は、ＣＣＤ３０を動作させて、被写体像の撮影を行わせる。ＣＣＤ３０で撮影された画像データは、ＳＤＲＡＭ４０のフレームメモリ４１に一時記憶され、画像処理部５０のリサイズ回路５１によりリサイズ処理されて、表示用画像データが作成される。この表示用画像データは、表示Ｉ／Ｆ６０のＭＩＸ回路６６を介してＬＣＤ７０に供給され、表示画面７１に表示される。なお、ＣＣＤ３０で得られた画像データを連続的に表示することで、動画像つまり映像を表示することができる。
【００２７】
またこのとき、上述のように、表示Ｉ／Ｆ６０によって、ＬＣＤ７０の表示画面７１に、撮影映像と測距枠等の撮影指標とを重畳表示する。そして、操作部２０のレリーズボタンのファーストレリーズ操作に応じて、ＣＰＵ１０は、不図示の測距装置を用いて主要被写体（ＡＦターゲット）に対するＡＦ動作を行い、ＡＦターゲットの確定に応じて、ＬＣＤ７０の表示画面７１に表示されている上記測距枠の表示形態を、後述のように変化させる。
【００２８】
そして、操作部２０のレリーズボタンのセカンドレリーズ操作により、ＣＰＵ１０は、画像処理部５０の不図示エンコーダにより、ＳＤＲＡＭ４０のフレームメモリ４１に一時記憶されている画像データを、例えばＪＰＥＧ等のメディア保存用の所定フォーマットに符号化して、画像ファイルを作成する。この画像ファイルがメディア８０に保存される。
【００２９】
また、特に詳述はしないが、画像処理部５０により、一連の表示用画像による映像ファイルを作成して、メディア８０に保存できることは勿論である。
【００３０】
次に、上記測距枠の表示形態の変化の詳細を、図４のフローチャートに従って説明する。
【００３１】
即ち、ＣＰＵ１０は、電源ボタンのＯＮ操作に応じてこのフローチャートに示すような動作を開始し、まず、表示Ｉ／Ｆ６０のパレット変換部６５を、第１カラーパレット６１を選択するよう切り替えた後（ステップＳ１１）、ＣＣＤ３０及び画像処理部５０のリサイズ回路５１を動作させて、ＬＣＤ７０の表示を更新する（ステップＳ１２）。このとき、ＳＤＲＡＭ４０のＯＳＤ４２のビットマップデータを読み出すための表示データ読出領域４２Ａを、図２（Ａ）に示すように、カラー１のデータを全て含むような位置に設定しておくことで、第１カラーパレット６１によってカラー０〜４のうちカラー１のみが青で発色され、表示画面７１には、同図のように、その表示画面ほぼいっぱいの大きさの測距枠７２が撮影された映像上に重畳表示されることとなる。
【００３２】
そしてその後、操作部２０のレリーズボタンのファーストレリーズ操作がなされたか否かを判別する（ステップＳ１３）。ここで、ファーストレリーズ操作がなされていない場合には、上記ステップＳ１２に戻る。即ち、ＣＣＤ３０によって新たな撮影をしてＬＣＤ７０に表示する。こうして、ステップＳ１２とステップＳ１３を繰り返すことで、ＬＣＤ７０の表示画面７１には動画像即ち映像が表示される。
【００３３】
そして、操作者によってファーストレリーズ操作がなされたならば（ステップＳ１３）、ＡＦ動作を実行する（ステップＳ１４）。ここで、本実施形態におけるデジタルカメラでは、測距ポイントは画面中央の一点だけではなく、主要被写体が撮影視野内のどの位置に存在していてもピントが合うように、複数の測距ポイントを持っている。よって、このＡＦ動作では、それら複数の測距ポイントの何れに主要被写体（ＡＦターゲット）が存在するかを検出し、ＡＦターゲットを確定した上で、そのＡＦターゲットにピントが合うようにオートフォーカスを行うものである。従って、ＣＰＵ１０は、ＡＦターゲットが確定したか否かを判別し（ステップＳ１５）、まだ確定しなければ、上記ステップＳ１４に戻ってＡＦ動作を継続する。
【００３４】
而して、ＡＦターゲットが確定したならば（ステップＳ１５）、ＳＤＲＡＭ４０のＯＳＤ４２におけるカラー４のビットマップデータの位置がその確定したＡＦターゲットの測距ポイントの位置と一致するようになる方向に、所定量だけ、表示データ読出領域４２Ａの位置を変更し（ステップＳ１６）、また、カラーパレットを次のカラーパレットに変更して（ステップＳ１７）、ＬＣＤ７０の表示を更新する（ステップＳ１８）。ここで、上記所定量は、確定したＡＦターゲットの測距ポイントの位置と、ビットマップとして描かれたＯＳＤ４２の表示データメモリ領域４２Ｂにおける枠の個数とによって決まる量である。従って、表示データ読出領域４２Ａの位置が、図２（Ａ）に示す位置から図２（Ｂ）に示す位置に変更され、カラーパレットが第２カラーパレット６２に切り替えられて、この第２カラーパレット６２によってカラー０〜４のうちカラー２のみが青で発色され、表示画面７１には、図２（Ｂ）のように、図２（Ａ）における測距枠７２よりは若干小さく且つ確定したＡＦターゲットの測距ポイントに向けて位置が偏った測距枠７２が重畳表示されることとなる。
【００３５】
そして、最終カラーパレット即ち第４カラーパレット６４まで既に切り替えてしまったか否かを判別し（ステップＳ１９）、まだであれば、上記ステップＳ１６乃至ステップＳ１８の動作を繰り返す。これにより、表示データ読出領域４２Ａの位置が、図２（Ｂ）に示す位置から図５（Ａ）に示す位置に変更され、カラーパレットが第３カラーパレット６３に切り替えられて、この第３カラーパレット６３によってカラー０〜４のうちカラー３のみが青で発色され、表示画面７１には、図５（Ａ）のように、図２（Ｂ）における測距枠７２よりも更に小さく且つ確定したＡＦターゲットの測距ポイントに向けて更に位置が偏った測距枠７２が重畳表示されることとなる。
【００３６】
その後、上記ステップＳ１９の判断が行われ、まだ第３カラーパレットの状態であるので、更に上記ステップＳ１６乃至ステップＳ１８の動作を繰り返す。これにより、表示データ読出領域４２Ａの位置が、図５（Ａ）に示す位置から図５（Ｂ）に示す位置に変更され、カラーパレットが第４カラーパレット６４に切り替えられて、この第４カラーパレット６４によってカラー０〜４のうちカラー４のみが青で発色され、表示画面７１には、図５（Ｂ）のように、最も小さくなった測距枠７２が、確定したＡＦターゲットの測距ポイント位置に重畳表示されることとなる。
【００３７】
以上のように、ステップＳ１６乃至ステップＳ１９のループを繰り返すことで、図２（Ｂ）、図５（Ａ）、図５（Ｂ）に示す順番で測距枠７２が切り替え表示されていくが、この切り替えが高速に行われるため、確定したＡＦターゲットの測距ポイント位置に測距枠７２が収束していくかのような視覚効果が得られる。
【００３８】
そしてその後、セカンドレリーズ操作がなされるのを待つが（ステップＳ２０）、その前にファーストレリーズ即ちレリーズボタンの１段階目の押下（半押し）が解除されてしまった場合には（ステップＳ２１）、上記ステップＳ１１に戻って、最初の図２（Ａ）のような表示画面７１に戻す。
【００３９】
而して、セカンドレリーズ操作がなされたならば（ステップＳ２２）、撮影処理が実行されて（ステップＳ２２）、撮影画像データが画像ファイルとしてメディア８０に記録されることとなる。
【００４０】
以上のように、表示データ読出領域４２Ａの位置変更による位置の移動と共にカラーパレット切り替えによるスクロールでの大きさ変更により、測距枠７２が確定したＡＦターゲットの測距ポイント位置に収束していくかのような視覚効果を提供することができる。
【００４１】
即ち、撮影指標としての表示データを、単純なスクロールだけでなく移動させることが可能となる。
【００４２】
［第２実施形態］
上記第１実施形態は、ファーストレリーズ操作によりＡＦ動作を開始し、ＡＦターゲットを確定するシングルＡＦモードのデジタルカメラの場合における測距枠の表示を例に説明した。本第２実施形態は、レリーズ操作がない状態でも常にＡＦ動作を行い、ＡＦターゲットを確定し続ける連続ＡＦモードのデジタルカメラに適用した場合である。
【００４３】
このような連続ＡＦモードのデジタルカメラに適用する場合には、ＳＤＲＡＭ４０のＯＳＤ４２は、図６（Ａ）に示すように、カラー１乃至カラー３を指定された３つの枠がビットマップデータとして書き込まれているものとする。
【００４４】
そして、測距枠の表示形態の変化は、図７のフローチャートに示すようにして行われる。
【００４５】
即ち、ＣＰＵ１０は、電源ボタンのＯＮ操作に応じてこのフローチャートに示すような動作を開始し、まず、表示Ｉ／Ｆ６０のパレット変換部６５を、第１カラーパレット６１を選択するよう切り替えた後（ステップＳ３１）、ＣＣＤ３０及び画像処理部５０のリサイズ回路５１を動作させて、ＬＣＤ７０の表示を更新する（ステップＳ３２）。このとき、ＳＤＲＡＭ４０のＯＳＤ４２のビットマップデータを読み出すための表示データ読出領域４２Ａを、図６（Ａ）に示すように、カラー１のデータが表示データ読出領域４２Ａの中央になるような位置に設定しておくことで、第１カラーパレット６１によってカラー０〜３のうちカラー１のみが青で発色され、表示画面７１には、同図のように、その表示画面中央に測距枠７２が重畳表示されることとなる。
【００４６】
そしてその後、ＡＦ動作を実行し（ステップＳ３３）、ＡＦターゲットを確定する（ステップＳ３４）。ここで、その確定したＡＦターゲットの測距ポイント位置が、現在の測距枠７２の表示位置に対応する位置であるか否か、つまり確定ＡＦターゲット測距ポイント位置が前回の位置から移動したか否かを判別する（ステップＳ３５）。
【００４７】
確定ＡＦターゲット測距ポイント位置が移動していなければ（ステップＳ３５）、ＣＣＤ３０によって新たな撮影をしてＬＣＤ７０の表示を更新する（ステップＳ３６）。そして、ファーストレリーズ操作がなされたか否かを判別し（ステップＳ３７）、ファーストレリーズ操作がなされていない場合には、上記ステップＳ３３に戻る。
【００４８】
一方、確定ＡＦターゲット測距ポイント位置が移動している場合には（ステップＳ３５）、図６（Ｂ）に示すように、ＳＤＲＡＭ４０のＯＳＤ４２におけるカラー３のビットマップデータの位置がその確定ＡＦターゲット測距ポイント位置と一致するように、表示データ読出領域４２Ａの位置を変更する（ステップＳ３８）。その後、ＣＣＤ３０によって新たな撮影をしてＬＣＤ７０の表示を更新する（ステップＳ３６）。そして、ファーストレリーズ操作がなされたか否かを判別し（ステップＳ３７）、ファーストレリーズ操作がなされていない場合には、上記ステップＳ３３に戻る。
【００４９】
このように、ステップＳ３３乃至ステップＳ３８の処理を繰り返すことで、確定ＡＦターゲット測距ポイント位置つまり主要被写体（ＡＦターゲット）の移動に追従して、ＬＣＤ７０の表示画面７１に表示される動画像即ち映像上に、測距枠７２が重畳表示される。
【００５０】
そして、ファーストレリーズ操作がなされたならば（ステップＳ３７）、カラーパレットを次のカラーパレットに変更して（ステップＳ３９）、ＬＣＤ７０の表示を更新する（ステップＳ４０）。即ち、カラーパレットが第２カラーパレット６２に切り替えられる。このとき、図６（Ｂ）及び図８（Ａ）に示すように表示データ読出領域４２Ａの位置はそのままであるが、この第２カラーパレット６２によってカラー０〜３のうちカラー２のみが青で発色される。よって、表示画面７１には、図８（Ａ）のように、図６（Ｂ）における測距枠７２よりは若干小さいが、位置はそのままの測距枠７２が重畳表示されることとなる。
【００５１】
その後、最終カラーパレット即ち第３カラーパレット６３まで既に切り替えてしまったか否かを判別し（ステップＳ４１）、まだであれば、上記ステップＳ３９及びステップＳ４０の動作を繰り返す。これにより、カラーパレットが第３カラーパレット６３に切り替えられて、カラー０〜３のうちカラー３のみが青で発色され、表示画面７１には、図８（Ｂ）に示すように、位置はそのままに最も小さい測距枠７２が重畳表示される。
【００５２】
以上のようにして、撮影者のファーストレリーズ操作が行われるまで、大きな測距枠７２が主要被写体（ＡＦターゲット）の移動に追従して表示され、ファーストレリーズ操作に応じて、図６（Ｂ）、図８（Ａ）、図８（Ｂ）に示す順番で測距枠７２が切り替え表示されていく。この切り替え表示は高速に行われるため、確定したＡＦターゲットの測距ポイント位置に測距枠７２が収束していくかのような視覚効果が得られる。
【００５３】
そしてその後、セカンドレリーズ操作がなされるのを待つが（ステップＳ４２）、その前にファーストレリーズ即ちレリーズボタンの１段階目の押下（半押し）が解除されてしまった場合には（ステップＳ４３）、上記ステップＳ３１に戻って、最初の図６（Ａ）のような表示画面７１に戻す。
【００５４】
而して、セカンドレリーズ操作がなされたならば（ステップＳ４２）、撮影処理が実行されて（ステップＳ４４）、撮影画像データが画像ファイルとしてメディア８０に記録されることとなる。
【００５５】
以上のように、本実施形態においても、表示データ読出領域４２Ａの位置変更による位置の移動と、カラーパレット切り替えによるスクロールでの大きさ変更とにより、測距枠７２が確定したＡＦターゲットの測距ポイント位置に収束していくかのような視覚効果を提供することができる。
【００５６】
即ち、撮影指標としての表示データを、単純なスクロールだけでなく移動させることが可能となる。
【００５７】
以上実施形態に基づいて本発明を説明したが、本発明は上述した実施形態に限定されるものではなく、本発明の要旨の範囲内で種々の変形や応用が可能なことは勿論である。
【００５８】
例えば、上記第１実施形態ではカラーパレットを４つ第２実施形態ではカラーパレットを３つ使用する例を説明したが、それ以上の個数を使用しても良い。
【００５９】
また、測距枠について視覚効果を得る例を説明したが、撮影に係る指標としては、そのような測距枠に限定するものではない。即ち、本発明によれば、例えば、ダイナミックレンジ外の領域を示す枠やトリミング領域を示す枠、等の主要被写体に関する領域を示す領域枠についても同様の視覚効果を提供できる。
【００６０】
また、枠に限定するものではなく、十字マークや矢印マーク等、各種のマークについても、相似形状で大きさの異なるマークの表示データをＯＳＤ４２として用意しておき、表示データ読出領域４２Ａの位置変更による位置の移動と共にカラーパレット切り替えによるスクロールでの大きさ変更により、同様の視覚効果が得られることは勿論である。
【００６１】
また、上記実施形態はデジタルカメラに適用した場合を例に説明したが、ビデオカメラやコンピュータゲーム装置等、各種の機器に適用可能である。
【００６２】
（付記）
前記の具体的実施形態から、以下のような構成の発明を抽出することができる。
【００６３】
（１）  表示画面に、異なる表示形態で表示させるための表示データからなる複数のカラーパレットを記憶する記憶手段と、
上記表示画面に表示する位置を移動させる移動指示に応じて、上記表示データの表示位置を設定する設定手段と、
上記移動指示による移動の終了後に、上記表示画面における表示形態を切り替える切り替え指示に応じて、上記記憶手段に記憶されたカラーパレットを切り替える切り替え手段と、
を具備することを特徴とする表示制御装置。
【００６４】
この（１）に記載の表示制御装置に関する実施形態は、第２実施形態が対応する。
【００６５】
ここで、記憶手段は、例えばＯＳＤ４２及び表示Ｉ／Ｆ６０に対応する。移動指示は、例えばＡＦターゲット確定によるものである。設定手段は、例えばＣＰＵ１０に対応する。切り替え指示は、例えばファーストレリーズ操作によるものである。切り替え手段は、例えばＣＰＵ１０及びパレット変換部６５に対応する。
【００６６】
（２）  表示画面に、異なる表示形態で表示させるための表示データからなる複数のカラーパレットを記憶する記憶手段と、
上記表示画面に表示する位置の確定指示に応じて、上記表示データの表示位置を設定すると共に、上記表示画面における表示形態を切り替えるために上記記憶手段に記憶されたカラーパレットを切り替える制御を行う制御手段と、
を具備することを特徴とする表示制御装置。
【００６７】
この（２）に記載の表示制御装置に関する実施形態は、第１実施形態が対応する。
【００６８】
ここで、記憶手段は、例えばＯＳＤ４２及び表示Ｉ／Ｆ６０に対応する。確定指示は、例えばＡＦターゲット確定によるものである。制御手段は、例えばＣＰＵ１０及びパレット変換部６５に対応する。
【００６９】
（３）  上記表示データは、複数のマークまたは枠を表すものであることを特徴とする（１）または（２）に記載の表示制御装置。
【００７０】
（４）  上記記憶手段は、上記表示データとして、相似形状で大きさの異なるマークまたは枠の表示データを記憶し、
上記切り替え手段または上記制御手段によるカラーパレットの切り替えにより、視認されるマークまたは枠の大きさが変化する、
ことを特徴とする（３）に記載の表示制御装置。
【００７１】
（５）  上記切り替え手段または上記制御手段は、上記切り替え指示または上記確定指示を受けた後、順次異なるカラーパレットに切り替えることで、視認されるマークまたは枠の大きさを順次変化させることを特徴とする（４）に記載の表示制御装置。
【００７２】
（６）  該表示制御装置は、撮像手段を有するカメラに組み込まれ、
上記表示画面は、上記撮像手段の撮像出力に対応する映像を表示し、
上記表示データは、上記映像上に重畳表示される、
ことを特徴とする（１）または（２）に記載の表示制御装置。
【００７３】
（７）  該表示制御装置は、撮像手段を有するカメラに組み込まれ、
上記表示画面は、上記撮像手段の撮像出力に対応する映像を表示し、
上記表示データは、撮影に係る指標を表すものであって、上記映像上に重畳表示され、
上記移動指示は、上記撮影に係る指標の表示位置の移動に伴うものであり、
上記切り替え指示は、上記撮影に係る指標の表示位置の確定に応じたものである、
ことを特徴とする（１）に記載の表示制御装置。
【００７４】
（８）  該表示制御装置は、撮像手段を有するカメラに組み込まれ、
上記表示画面は、上記撮像手段の撮像出力に対応する映像を表示し、
上記表示データは、撮影に係る指標を表すものであって、上記映像上に重畳表示され、
上記確定指示は、上記撮影に係る指標の表示位置の確定に伴うものである、
ことを特徴とする（２）に記載の表示制御装置。
【００７５】
（９）  上記撮影に係る指標は、測距対象の位置を示す測距枠であることを特徴とする（７）または（８）に記載の表示制御装置。
【００７６】
（１０）  上記撮影に係る指標は、主要被写体に関する領域を示す領域枠であることを特徴とする（７）または（８）に記載の表示制御装置。
【００７７】
（１１）  被写体像を撮像する撮像手段と、
上記撮像手段の撮像出力に対応する映像を表示する表示画面と、
上記表示画面に、撮影に係る指標を異なる表示形態で表示させるための表示データからなる複数のカラーパレットを記憶する記憶手段と、
上記撮影に係る指標を上記映像に重畳させて上記表示画面に表示させる際に、上記記憶手段に記憶されたカラーパレットを切り替えることで、上記表示画面における上記撮影に係る指標の表示形態を切り替える切り替え手段と、
を具備することを特徴とするカメラ。
【００７８】
この（１１）に記載のカメラに関する実施形態は、第１及び第２実施形態が対応する。
【００７９】
ここで、撮像手段は、例えばＣＣＤ３０に対応する。表示画面は、例えばＬＣＤ７０の表示画面７１に対応する。記憶手段は、例えばＯＳＤ４２及び表示Ｉ／Ｆ６０に対応する。切り替え手段は、例えばＣＰＵ１０及びパレット変換部６５に対応する。
【００８０】
（１２）  上記撮影に係る指標は、相似形状で大きさの異なる枠であり、
上記切り替え手段によるカラーパレットの切り替えにより、視認される枠の大きさが変化する、
ことを特徴とする（１１）に記載のカメラ。
【００８１】
（１３）  上記切り替え手段は、順次異なるカラーパレットに切り替えることで、視認される枠の大きさを順次変化させることを特徴とする（１２）に記載のカメラ。
【００８２】
（１４）  上記撮影に係る指標は、測距対象の位置を示す測距枠であることを特徴とする（１１）に記載のカメラ。
【００８３】
（１５）  上記撮影に係る指標は、主要被写体に関する領域を示す領域枠であることを特徴とする（１１）に記載のカメラ。
【００８４】
（１６）  移動指示に応じて移動表示されるべき、１画面中に配置された異なるカラー番号を持つ複数の表示データを記憶する記憶手段と、
上記記憶手段に記憶された表示データの、上記移動指示による移動表示時における発色を指定するための第１のカラーパレットと、
上記記憶手段に記憶された表示データの、移動終了指示受け時における発色を指定するための第２のカラーパレットと、
を具備することを特徴とする表示制御装置。
【００８５】
この（１６）に記載の表示制御装置に関する実施形態は、第１及び第２実施形態が対応する。
【００８６】
ここで、移動指示は、例えばファーストレリーズ操作またはＡＦターゲット確定によるものである。記憶手段は、例えばＣＰＵ１０に対応する。第１のカラーパレットは、例えば第１カラーパレット６１に対応する。移動終了指示は、例えばＡＦターゲット確定またはファーストレリーズ操作によるものである。第２のカラーパレットは、例えば第２乃至第４カラーパレット６２〜６４に対応する。
【００８７】
（１７）  上記移動指示または上記移動終了指示に応じて、上記記憶手段に記憶された表示データの表示に利用するカラーパレットを切り替えることにより、視認される表示データを変更する変更手段を更に具備することを特徴とする（１６）に記載の表示制御装置。
【００８８】
ここで、変更手段は、例えばＣＰＵ１０及びパレット変換部６５に対応する。
【００８９】
（１８）  上記複数の表示データは、複数のマークまたは枠を表すものであることを特徴とする（１７）に記載の表示制御装置。
【００９０】
（１９）  撮像した映像と撮影指標とを表示画面に重畳表示させる撮影指標表示制御方法において、
上記表示画面に、上記撮影指標を異なる表示形態で表示させるための表示データからなる複数のカラーパレットを用意しておき、
ファーストレリーズ操作に応じて、第１のカラーパレットにより上記表示データの発色を指定することにより、第１の表示形態の撮影指標を視認可能とし、
上記表示画面に表示する位置を移動させる移動指示に応じて、上記表示画面上における上記撮影指標の表示データの表示位置を移動させることで、上記視認される第１の表示形態の撮影指標の位置を移動させ、
上記移動指示による移動の終了後に、上記表示画面における表示形態を切り替える切り替え指示に応じて、上記カラーパレットを切り替えることで、視認される撮影指標の表示形態を上記第１の表示形態から他の表示形態に切り替える、
ことを特徴とする撮影指標表示制御方法。
【００９１】
この（１９）に記載の撮影指標表示制御方法に関する実施形態は、第２実施形態が対応する。
【００９２】
（２０）  撮像した映像と撮影指標とを表示画面に重畳表示させる撮影指標表示制御方法において、
上記表示画面に、上記撮影指標を異なる表示形態で表示させるための表示データからなる複数のカラーパレットを用意しておき、
第１のカラーパレットにより上記表示データの発色を指定することにより、第１の表示形態の撮影指標を視認可能とし、
ファーストレリーズ操作に応じて、上記カラーパレットを切り替えることで、視認される撮影指標の表示形態を上記第１の表示形態から他の表示形態に切り替えると共に、上記表示画面上における上記撮影指標の表示データの表示位置を移動させることで、その変更された他の表示形態の撮影指標の位置も変更する、
ことを特徴とする撮影指標表示制御方法。
【００９３】
この（２０）に記載の撮影指標表示制御方法に関する実施形態は、第１実施形態が対応する。
【００９４】
（２１）  上記撮影指標は、測距対象の位置を示す測距枠であることを特徴とする（１９）または（２０）に記載の撮影指標表示制御方法。
【００９５】
（２２）  上記測距枠の異なる表示形態は、相似形状で大きさの異なる表示形態であり、
上記第１の表示形態が最も大きな測距枠の表示形態である、
ことを特徴とする（２１）に記載の撮影指標表示制御方法。
【００９６】
（２３）  上記測距枠の他の表示形態が複数あり、
視認される測距枠の大きさが順次小さくなるように、異なるカラーパレットに順次切り替える、
ことを特徴とする（２２）に記載の撮影指標表示制御方法。
【００９７】
（２４）  上記撮影指標は、主要被写体に関する領域を示す領域枠であることを特徴とする（１９）または（２０）に記載の撮影指標表示制御方法。
【図面の簡単な説明】
【００９８】
【図１】（Ａ）は本発明の第１実施形態に係る表示制御装置の適用されたデジタルカメラのブロック構成図であり、（Ｂ）はＳＤＲＡＭ、画像処理部及び表示Ｉ／Ｆの詳細構成を示す図である。
【図２】（Ａ）は電源投入時の表示データ読出領域の位置と測距枠の表示形態との関係を示す図であり、（Ｂ）は第２カラーパレットに切り替えた際の表示データ読出領域の位置と測距枠の表示形態との関係を示す図である。
【図３】第１乃至第４カラーパレットのデータを示す図である。
【図４】第１実施形態におけるデジタルカメラの動作フローチャートを示す図である。
【図５】（Ａ）は第３カラーパレットに切り替えた際の表示データ読出領域の位置と測距枠の表示形態との関係を示す図であり、（Ｂ）は第４カラーパレットに切り替えた際の表示データ読出領域の位置と測距枠の表示形態との関係を示す図である。
【図６】（Ａ）は本発明の第２実施形態に係る表示制御装置の適用されたデジタルカメラにおける電源投入時の表示データ読出領域の位置と測距枠の表示形態との関係を示す図であり、（Ｂ）は確定ＡＦターゲット測距ポイント位置が移動していた場合の表示データ読出領域の位置と測距枠の表示形態との関係を示す図である。
【図７】第２実施形態におけるデジタルカメラの動作フローチャートを示す図である。
【図８】（Ａ）は第２カラーパレットに切り替えた際の表示データ読出領域の位置と測距枠の表示形態との関係を示す図であり、（Ｂ）は第３カラーパレットに切り替えた際の表示データ読出領域の位置と測距枠の表示形態との関係を示す図である。
【符号の説明】
【００９９】
１０…ＣＰＵ、  ２０…操作部、  ３０…ＣＣＤ、  ４０…ＳＤＲＡＭ、  ４１…フレームメモリ、  ４２…ＯＳＤ、  ４２Ａ…表示データ読出領域、  ４２Ｂ…表示データメモリ領域、  ５０…画像処理部、  ５１…リサイズ回路、  ６１…第１カラーパレット、  ６２…第２カラーパレット、  ６３…第３カラーパレット、  ６４…第４カラーパレット、  ６５…パレット変換部、  ６６…ＭＩＸ回路、  ７０…ＬＣＤ、  ７１…表示画面、  ７２…測距枠、  ８０…メディア。
【図１】
2006084555.tif 000003
【図２】
2006084555.tif 000004
【図３】
2006084555.tif 000005
【図４】
2006084555.tif 000006
【図５】
2006084555.tif 000007
【図６】
2006084555.tif 000008
【図７】
2006084555.tif 000009
【図８】
2006084555.tif 000010